(57)【要約】  操作を行う指の動きと表示とを連動させることにより、視覚的に分かり易い操作を行うことができる表示装置を提供する。この表示装置は、画像表示する表示手段と、フロントベゼル内に設けられた静電センサと、入力した画像信号を処理して表示手段に表示する画像処理手段と、静電センサによる入力操作に応じて、画像処理部手段を制御する制御手段とを備え、静電センサは、指の移動方向と移動スピードを示す信号を出力し、制御手段は、移動方向と移動スピードに応じて、画像処理手段を制御する。
2012035607.tif 000002
【特許請求の範囲】
【請求項１】
画像表示する表示手段と、
フロントベゼル内に設けられた静電センサと、
入力した画像信号を処理して前記表示手段に表示する画像処理手段と、
前記静電センサによる入力操作に応じて、前記画像処理部手段を制御する制御手段と
を備えたことを特徴とする表示装置。
【請求項２】
前記静電センサは、指の移動方向と移動スピードを示す信号を出力し、
前記制御手段は、前記移動方向と移動スピードに応じて、前記画像処理手段を制御することを特徴とする請求項１に記載の表示装置。
【請求項３】
前記制御手段は、前記移動方向と移動スピードに応じて、ＯＳＤ表示画面の制御を行うことを特徴とする請求項２に記載の表示装置。
【発明の詳細な説明】
【技術分野】
【０００１】
本発明は、画面の調整・設定操作が可能な表示装置に関する。
【背景技術】
【０００２】
従来から、表示装置の設定画面を画面に表示して操作するＯＳＤ（On-Screen Display）機能が知られている。ＯＳＤは、コンピュータの出力した画面の上に重ねて表示され、表示装置本体の前面や側面などに配されたボタンで操作するものであり、水平方向や垂直方向の位置の調整、ゆがみの補正、コントラストや明るさの調整などを行なう。ＯＳＤを搭載した表示装置では、本体には上下ボタン、選択ボタン、決定ボタンなどいくつかのボタンのみが置かれ、画面に出現する設定画面を操作して調整を行なうことができ、入力周波数や色温度の設定など複雑な調整も可能になっている（例えば、特許文献１参照）。
【先行技術文献】
【特許文献】
【０００３】
【特許文献１】特開２００７−０１１０１２号公報
【発明の概要】
【発明が解決しようとする課題】
【０００４】
しかしながら、従来の表示装置に備えられたＯＳＤは、ＯＳＤの画面表示の移動や対象の図等の色を変化させる際、ボタンを一回ずつ押す操作であったため、移動の速度や色変化速度が一定であった。また、調整を行う際、ボタン操作とＯＳＤ画面表示の移動速度が視覚的に一致していないという問題がある。【０００５】
本発明は、このような事情に鑑みてなされたもので、操作を行う指の動きと表示とを連動させることにより、視覚的に分かり易い操作を行うことができる表示装置を提供することを目的とする。
【課題を解決するための手段】
【０００６】
本発明は、画像表示する表示手段と、フロントベゼル内に設けられた静電センサと、入力した画像信号を処理して前記表示手段に表示する画像処理手段と、前記静電センサによる入力操作に応じて、前記画像処理部手段を制御する制御手段とを備えたことを特徴とする。【０００７】
本発明は、前記静電センサは、指の移動方向と移動スピードを示す信号を出力し、前記制御手段は、前記移動方向と移動スピードに応じて、前記画像処理手段を制御することを特徴とする。【０００８】
本発明は、前記制御手段は、前記移動方向と移動スピードに応じて、ＯＳＤ表示画面の制御を行うことを特徴とする。
【発明の効果】
【０００９】
本発明によれば、操作を行う指の動きと表示とを連動させることにより、視覚的に分かり易い操作を行うことができるという効果が得られる。
【図面の簡単な説明】
【００１０】
【図１】本発明の一実施形態の構成を示すブロック図である。
【図２】図１に示す静電センサ１３の操作面の配置を示す図である。
【図３】図１に示す表示装置１の動作を示す説明図である。
【図４】図１に示す表示装置１の動作を示す説明図である。
【図５】図１に示す表示装置１の動作を示す説明図である。
【図６】図１に示す表示装置１の動作を示す説明図である。
【図７】図１に示す表示装置１の動作を示す説明図である。
【図８】図１に示す表示装置１の動作を示す説明図である。
【発明を実施するための形態】
【００１１】
以下、図面を参照して、本発明の一実施形態による表示装置を説明する。図１は同実施形態の構成を示すブロック図である。この図において、符号１は、ＯＳＤ機能を備えている表示装置である。符号５は、パソコン等で構成され、表示装置１に表示するべき画像信号を生成して、表示装置１に対して出力する画像信号発生装置である。符号１１は、画像信号を入力し、表示するべき画像情報を生成して出力する画像処理部である。符号１２は、液晶パネル等で構成され、画像を表示する表示部である。符号１３は、表示部１２のフロントベゼル内に設けられた静電センサであり、フロントベゼルに近づけた指の動きを検出し、操作を行う指の移動方向と移動スピードとを示す移動方向信号と移動スピード信号とを出力する。符号１４は、移動方向信号と移動スピード信号とを入力し、入力した移動方向信号と移動スピード信号に基づき、操作した指の動きと、画面表示を連動させる制御信号を画像処理部１１へ出力する制御部である。
【００１２】
次に、図２を参照して、図１に示す表示装置１における静電センサ１３の配置について説明する。図２において、符号２は、表示部１２のフロントベゼルである。静電センサ１３は、フロントベゼル２内に埋め込まれており、フロントベゼル２の表面に操作面３１〜３４を形成している。操作面３１は、上下方向の指定操作を行うための操作面であり、操作面３２は、左右方向の指定操作を行うための操作面である。操作面３３、３４は、ＯＮ／ＯＦＦ操作を行うための操作面である。図２に示す操作面３１〜３４は、フロントベゼル２に右下位置に設けてあるが、指の動きを検出できればフロントベゼル２の表面のどこに設けてあってもよい。また、図２に示す例では、静電センサ１３をフロントベゼル２内に４個埋め込み、４つの操作面３１〜３４を形成した例を示しているが、フロントベゼル２内に埋め込む静電センサ１３は、必要な数だけ埋め込むようにしてもよい。なお、図２においては、操作面の境界線を示しているが、実際のフロントベゼル２の表面には、操作面の境界線はない状態である。
【００１３】
次に、図３〜図８を参照して、図１に示す表示装置１の動作を説明する。始めに、図３、図４を参照して、キーガイドを表示する動作を説明する。ユーザがフロントベゼル２上の操作面３４に指４を近づける（図３参照）と、静電センサ１３は、操作面３４に指４が近づいたことを検出し、操作面３４の位置に指が近づいたことを示す信号を制御部１４へ出力する。これを受けて、制御部１４は、画像処理部１１に対して、キーガイド画像を出力する。これにより、表示部１２にキーガイド５１〜５６が表示される。そして、ユーザが操作面３４の位置のフロントベゼル２を触れる（図４参照）と、静電センサ１３は、操作面３４を触れたことを示す信号を制御部１４へ出力する。これを受けて、制御部１４は、キーガイド５１の色を変化させ、「ＥＸＩＴ」ボタンが押されたとを認識する。続いて、制御部１４は、押されたボタンに応じた処理を行う。
【００１４】
次に、図５、図６を参照して、ＯＳＤ表示画面を移動させる動作を説明する。ユーザが操作面３２に指４を近づけて、左から右へなぞるように操作すると、静電センサ１３は、操作面３２において指４による操作が行われたことを検出し、指４の移動方向信号と移動スピード信号を制御部１４へ出力する。これを受けて、制御部１４は、画像処理部１１に対して、既に表示されているＯＳＤ表示画面６１を指４の動きの方向へ移動して、ＯＳＤ表示画面６２を表示する指示を出す。これにより、表示部１２に表示されているＯＳＤ表示画面が左から右へ移動することになる（図５参照）。
【００１５】
また、ユーザが、操作面３１に指４を近づけて、下から上へなぞるように操作すると、静電センサ１３は、操作面３１において指４による操作が行われたことを検出し、指４の移動方向信号と移動スピード信号を制御部１４へ出力する。これを受けて、制御部１４は、画像処理部１１に対して、既に表示されているＯＳＤ表示画面７１を指４の動きの方向へ移動して、ＯＳＤ表示画面７２を表示する指示を出す。これにより、表示部１２に表示されているＯＳＤ表示画面が下から上へ移動することになる（図６参照）。このようにすることにより、指４の移動方向、移動量、移動スピードと連動して、ＯＳＤ表示画面も移動させることができるので移動方向、移動量、移動スピードが視覚的にわかりやすい。
【００１６】
次に、図７、図８を参照して、表示部１２に表示されている対象図の色を変化させる動作を説明する。ユーザが所定の操作を行うと、表示部１２に色を変化させる対象図８１と、ＣＩＥ色度図８２が表示される。図７、図８において、右の図は、表示部１２に表示されるＣＩＥ色度図８２を拡大した図である。ＣＩＥ色度図８２が表示されている状態で、ユーザが操作面３２を指４で触れて左から右へなぞるように操作すると、静電センサ１３は、操作面３２において指４による操作が行われたことを検出し、指４の移動方向信号と移動スピード信号を制御部１４へ出力する。これを受けて、制御部１４は、画像処理部１１に対して、既に表示されているＣＩＥ色度図８２上のカーソル９を左から右へ移動して表示する指示を出す。これにより、カーソル９が左から右に移動し、表示部１２に表示されている対象図８１の色味がＣＩＥ色度図８２上のカーソル９の位置の色に変化することになる（図７参照）。
【００１７】
また、ＣＩＥ色度図８２が表示されている状態で、ユーザが操作面３２を指４で触れて下から上へなぞるように操作すると、静電センサ１３は、操作面３１において指４による操作が行われたことを検出し、指４の移動方向信号と移動スピード信号を制御部１４へ出力する。これを受けて、制御部１４は、画像処理部１１に対して、既に表示されているＣＩＥ色度図８２上のカーソル９を下から上へ移動して表示する指示を出す。これにより、カーソル９が下から上に移動し、表示部１２に表示されている対象図８１の色味がＣＩＥ色度図８２上のカーソル９の位置の色に変化することになる（図８参照）。このようにすることにより、指４の移動スピードに合わせて、色変化のスピードも連動させることができる。また、ＣＩＥ色度図８２上にカーソル９を設けることにより、対象図８１が現在表示している色を視覚的にわかるようにすることができる。
【００１８】
以上説明したように、フロントベゼル２内に静電センサ１３を設けることにより、指４の動きと連動させてＯＳＤ表示や表示画面を移動させたり、ＣＩＥ色度図に合わせて対象図の色変化を行うことが可能になる。静電センサ１３を用いることにより、指４の動きと連動して表示位置／色の調整ができるため移動方向、移動スピードが視覚的に分かりやすく、調整内容を把握しやすくなる。
【００１９】
なお、図１に示す制御部１４、画像処理部１１の機能を実現するためのプログラムをコンピュータ読み取り可能な記録媒体に記録して、この記録媒体に記録されたプログラムをコンピュータシステムに読み込ませ、実行することにより画面の調整・設定操作を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００２１】
表示装置において、画面の調整・設定操作が不可欠な用途に適用できる。
【符号の説明】
【００２２】
１・・・表示装置、１１・・・画像処理部、１２・・・表示部、１３・・・静電センサ、１４・・・制御部、２・・・フロントベゼル、５・・・画像信号発生装置
【図１】
2012035607.tif 000003
【図２】
2012035607.tif 000004
【図３】
2012035607.tif 000005
【図４】
2012035607.tif 000006
【図５】
2012035607.tif 000007
【図６】
2012035607.tif 000008
【図７】
2012035607.tif 000009
【図８】
2012035607.tif 000010
【国際調査報告】
2012035607.tif 000011
2012035607.tif 000012
2012035607.tif 000013
2012035607.tif 000014